【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
信号伝送に関係するフィードバックパラメータを受信することと、
フィードバックパラメータの関数として、確率値を複数のパラメータ値の１つ以上に割当てることと、
フィードバックパラメータを復号することであって、復号するステップが、確率値割当ての関数としてパラメータ値の中の１つを選択することを含むことと、
パラメータ値の中の選択された１つの関数として、信号伝送を制御することとを含む通信方法。
【請求項２】
フィードバックパラメータが、通信チャネル上での信号伝送の品質基準に関係する請求項１記載の方法。
【請求項３】
フィードバックパラメータが、通信チャネル上での信号伝送の搬送波対干渉比に関係する請求項２記載の方法。
【請求項４】
フィードバックパラメータが、パラメータ値の中の１つに関係し、パラメータ値の中の選択された１つが、パラメータ値の中の最大のものを含み、したがって、パラメータ値の中の選択された１つが、それが、フィードバックパラメータに関係するパラメータ値の中の１つよりも小さいことについて少なくとも所定の確率をもつ請求項１記載の方法。
【請求項５】
フィードバックパラメータが、パラメータ値の中の２つの間の差に関係する微分値を含む請求項１記載の方法。
【請求項６】
フィードバックパラメータが、パラメータ値の中の１つに等しい全値を含む請求項１記載の方法。
【請求項７】
第２のフィードバックパラメータを、フィードバックパラメータよりも後の時間に受信することをさらに含み、第２のフィードバックパラメータが、フィードバックパラメータからの変化を示す微分値を含み、第２のフィードバックパラメータが、確率値割当てを調整するのに使用される請求項６記載の方法。
【請求項８】
微分値が、フィードバックパラメータからの増加または減少の何れかを示す請求項７記載の方法。
【請求項９】
確率値割当ての調整が、フィードバックパラメータの増加に関係する微分確率値と、フィードバックパラメータの減少に関係する微分確率値とを判断することと、微分確率値の関数として、確率値割当てを調整することとを含む請求項８記載の方法。
【請求項１０】
確率値割当ての調整が、確率値割当てを微分確率値で畳込むことを含む請求項９記載の方法。
【請求項１１】
確率値割当ての信頼度の基準を計算することと、信頼度の基準の計算値の関数として、フィードバックパラメータの利得を制御することとをさらに含む請求項１記載の方法。
【請求項１２】
フィードバックパラメータが、パラメータ値の中の１つに等しい全値を含み、フィードバックパラメータが、１つ以上の連続のタイムスロットの各々において受信され、方法が、確率値割当ての信頼度の基準を計算することと、フィードバックパラメータが信頼度の基準の計算値の関数として受信される連続のタイムスロット数を制御することとをさらに含む請求項１記載の方法。
【請求項１３】
パラメータの１つに等しい全値を含む第２のフィードバックパラメータを、フィードバックパラメータよりも後の時間に受信することと、新しい確率値割当てを含む確率ベクトルを生成することと、確率ベクトルの信頼度の基準を計算することと、確率ベクトルを使用して、パラメータ値の中の選択された１つを信頼度の基準の計算値の関数として選択するかどうかを判断することとをさらに含む請求項１記載の方法。
【請求項１４】
第２のフィードバックパラメータとは無関係に調整される確率値割当てを含む第２の確率ベクトルを生成することと、第２の確率ベクトルの第２の信頼度の基準を計算することとをさらに含み、第２の信頼度の基準の計算値が、信頼度の基準の計算値を越えるとき、第２の確率ベクトルが、パラメータ値の中の選択された１つを選択するのに使用される請求項１３記載の方法。
【請求項１５】
第２の確率ベクトルの確率値割当てが、フィードバックパラメータにおける増加または減少に関係する微分値の関数として調整される請求項１４記載の方法。
【請求項１６】
通信方法を行なうコンピュータプログラムによって実行可能な命令のプログラムを具体化するコンピュータ読み出し可能媒体であって、方法が、
信号伝送に関係するフィードバックパラメータを受信することと、
フィードバックパラメータの関数として、確率値を複数のパラメータ値の１つ以上に割当てることと、
フィードバックパラメータを復号することであって、復号するステップが、確率値割当ての関数として、パラメータ値の中の１つを選択することを含むことと、
パラメータ値の中の選択された１つの関数として、信号伝送を制御することとを含むコンピュータ読み出し可能媒体。
【請求項１７】
フィードバックパラメータが、通信チャネル上での信号伝送の品質基準に関係する請求項１６記載のコンピュータ読み出し可能媒体。
【請求項１８】
フィードバックパラメータが、通信チャネル上での信号伝送の搬送波対干渉比に関係する請求項１７記載のコンピュータ読み出し可能媒体。
【請求項１９】
フィードバックパラメータが、パラメータ値の中の1つに関係し、パラメータ値の中の選択された１つが、パラメータ値の中の最大のものを含み、したがって、パラメータ値の中の選択された１つが、それが、フィードバックパラメータに関係するパラメータ値の中の１つよりも小さいことについて少なくとも所定の確率をもつ請求項１６記載のコンピュータ読み出し可能媒体。
【請求項２０】
フィードバックパラメータが、パラメータ値の中の２つの間の差に関係する微分値を含む請求項１６記載のコンピュータ読み出し可能媒体。
【請求項２１】
フィードバックパラメータが、パラメータ値の中の１つに等しい全値を含む請求項１６記載のコンピュータ読み出し可能媒体。
【請求項２２】
方法が、第２のフィードバックパラメータを、フィードバックパラメータよりも後の時間に受信することをさらに含み、第２のフィードバックパラメータが、フィードバックパラメータからの変化を示す微分値を含み、第２のフィードバックパラメータが、確率値割当てを調整するのに使用される請求項２１記載のコンピュータ読み出し可能媒体。
【請求項２３】
微分値が、フィードバックパラメータからの増加または減少の何れかを示す請求項２２記載のコンピュータ読み出し可能媒体。
【請求項２４】
確率値割当ての調整が、フィードバックパラメータにおける増加に関係する微分確率値と、フィードバックパラメータにおける減少に関係する微分確率値とを判断することと、微分確率値の関数として、確率値割当てを調整することとを含む請求項２３記載のコンピュータ読み出し可能媒体。
【請求項２５】
確率値割当ての調整が、確率値割当てを微分確率値で畳込むことを含む請求項２４記載のコンピュータ読み出し可能媒体。
【請求項２６】
方法が、確率値割当ての信頼度の基準を計算することと、信頼度の基準の計算値の関数として、フィードバックパラメータの利得を制御することとをさらに含む請求項１６記載のコンピュータ読み出し可能媒体。
【請求項２７】
フィードバックパラメータが、パラメータ値の中の１つに等しい全値を含み、フィードバックパラメータが、１つ以上の連続のタイムスロットの各々において受信され、方法が、確率値割当ての信頼度の基準を計算することと、信頼度の基準の計算値の関数として、フィードバックパラメータが受信される連続のタイムスロット数を制御することとをさらに含む請求項１６記載のコンピュータ読み出し可能媒体。
【請求項２８】
方法が、パラメータの１つに等しい全値を含む第２のフィードバックパラメータを、フィードバックパラメータよりも後の時間に受信することと、新しい確率値割当てを含む確率ベクトルを生成することと、確率ベクトルの信頼度の基準を計算することと、確率ベクトルを使用して、パラメータ値の中の選択された１つを信頼度の基準の計算値の関数として選択するかどうかを判断することとをさらに含む請求項１６記載のコンピュータ読み出し可能媒体。
【請求項２９】
方法が、第２のフィードバックパラメータとは無関係に調整される確率値割当てを含む第２の確率ベクトルを生成することと、第２の確率ベクトルの第２の信頼度の基準を計算することとをさらに含み、第２の信頼度の基準の計算値が、信頼度の基準の計算値を越えるとき、第２の確率ベクトルが、パラメータ値の中の選択された１つを選択するのに使用される請求項２８記載のコンピュータ読み出し可能媒体。
【請求項３０】
第２の確率ベクトルの確率値割当てが、フィードバックパラメータからの増加または減少に関係する微分値の関数として調整される請求項２９記載のコンピュータ読み出し可能媒体。
【請求項３１】
信号伝送を生成するように構成された送信機と、信号伝送に関係するフィードバックパラメータを受信するように構成された受信機とをもつトランシーバと、
フィードバックパラメータの関数として、確率値を複数のパラメータ値の１つ以上に割当てて、フィードバックパラメータを復号し、復号するステップが、確率値割当ての関数として、パラメータ値の中の１つを選択することを含み、パラメータ値の中の選択された１つの関数として、送信機によって生成された信号伝送を制御するように構成されたプロセッサとを含む通信装置。
【請求項３２】
フィードバックパラメータが、通信チャネル上での信号伝送の品質基準に関係する請求項３１記載の装置。
【請求項３３】
フィードバックパラメータが、通信チャネル上での信号伝送の搬送波対干渉比に関係する請求項３２記載の装置。
【請求項３４】
フィードバックパラメータが、パラメータ値の中の１つに関係し、パラメータ値の中の選択された１つが、パラメータ値の中の最大のものを含み、したがって、パラメータ値の中の選択された１つが、それが、フィードバックパラメータに関係するパラメータ値の中の１つよりも小さいことについて少なくとも所定の確率をもつ請求項３１記載の装置。
【請求項３５】
フィードバックパラメータが、パラメータ値の中の２つの間の差に関係する微分値を含む請求項３１記載の装置。
【請求項３６】
フィードバックパラメータが、パラメータ値の中の１つに等しい全値を含む請求項３１記載の装置。
【請求項３７】
受信機が、第２のフィードバックパラメータを、フィードバックパラメータよりも後の時間に受信するように構成され、第２のフィードバックパラメータが、フィードバックパラメータからの変化を示す微分値を含み、第２のフィードバックパラメータが、プロセッサによって、確率値割当てを調整するのに使用される請求項３６記載の装置。
【請求項３８】
微分値が、フィードバックパラメータからの増加または減少の何れかを示す請求項３７記載の装置。
【請求項３９】
プロセッサによる確率値割当ての調整が、フィードバックパラメータにおける増加に関係する微分確率値と、フィードバックパラメータにおける減少に関係する微分確率値とを判断することと、微分確率値の関数として、確率値割当てを調整することとを含む請求項３８記載の装置。
【請求項４０】
プロセッサによる確率値割当ての調整が、確率値割当てを微分確率値で畳込むことを含む請求項３９記載の装置。
【請求項４１】
プロセッサが、確率値割当ての信頼度の基準を計算し、信頼度の基準の計算値の関数として、フィードバックパラメータの利得制御信号を生成するようにも構成されていて、送信機が、利得制御信号を遠隔の位置へ送信するようにも構成されている請求項３１記載の装置。
【請求項４２】
フィードバックパラメータが、パラメータ値の中の１つに等しい全値を含み、受信機が、１つ以上の連続のタイムスロットの各々においてフィードバックパラメータを受信するようにも構成され、プロセッサが、確率値割当ての信頼度の基準を計算し、フィードバックパラメータが信頼度の基準の計算値の関数として受信される連続のタイムスロット数を制御する制御信号を生成するようにも構成され、送信機が、制御信号を遠隔局へ送信するようにも構成されている請求項３１記載の装置。
【請求項４３】
受信機が、パラメータの中の１つに等しい全値を含む第２のフィードバックパラメータを、フィードバックパラメータよりも後の時間に受信するようにも構成されていて、プロセッサが、新しい確率値割当てを含む確率ベクトルを生成し、確率ベクトルの信頼度の基準を計算し、確率ベクトルを使用して、パラメータ値の中の選択された１つを信頼度の基準の計算値の関数として選択するかどうかを判断するようにも構成されている請求項３１記載の装置。
【請求項４４】
プロセッサが、第２のフィードバックパラメータとは無関係に調整される確率値割当てを含む第２の確率ベクトルを生成し、第２の確率ベクトルのための第２の信頼度の基準を計算するようにも構成されていて、第２の信頼度の基準の計算値が信頼度の基準の計算値を越えるとき、第２の確率ベクトルが、プロセッサによって、パラメータ値の中の選択された１つを選択するのに使用される請求項４３記載の装置。
【請求項４５】
第２の確率ベクトルの確率値割当てが、フィードバックパラメータにおける増加または減少に関係する微分値の関数として調整される請求項４４記載の装置。
【請求項４６】
信号伝送に関係するフィードバックパラメータを受信する手段と、
フィードバックパラメータの関数として、確率値を複数のパラメータ値の１つ以上に割当てる手段と、
フィードバックパラメータを復号する手段であって、復号するステップが、確率値割当ての関数として、パラメータ値の中の１つを選択することを含む手段と、
パラメータ値の中の選択された１つの関数として、信号伝送を制御する手段とを含む通信装置。
【請求項４７】
フィードバックパラメータが、通信チャネル上での信号伝送の品質基準に関係する請求項４６記載の装置。
【請求項４８】
フィードバックパラメータが、通信チャネル上での信号伝送の搬送波対干渉比に関係する請求項４７記載の装置。
【請求項４９】
フィードバックパラメータが、パラメータ値の中の1つに関係し、パラメータ値の中の選択された１つが、パラメータ値の中の最大のものを含み、したがって、パラメータ値の中の選択された１つが、それが、フィードバックパラメータに関係するパラメータ値の中の１つよりも小さいことについて少なくとも所定の確率をもつ請求項４６記載の装置。
【請求項５０】
フィードバックパラメータが、パラメータ値の中の２つ間の差に関係する微分値を含む請求項４６記載の装置。
【請求項５１】
フィードバックパラメータが、パラメータ値の中の１つに等しい全値を含む請求項４６記載の装置。
【請求項５２】
フィードバックパラメータを受信する手段が、第２のフィードバックパラメータを、フィードバックパラメータよりも後の時間に受信するようにも構成されていて、第２のフィードバックパラメータが、フィードバックパラメータからの変化を示す微分値を含み、装置が、第２のフィードバックパラメータの関数として、確率値割当てを調整する手段をさらに含む請求項５１記載の装置。
【請求項５３】
微分値が、フィードバックパラメータからの増加または減少の何れかを示す請求項５２記載の装置。
【請求項５４】
確率値割当てを調整する手段が、フィードバックパラメータにおける増加に関係する微分確率値を判断する手段と、フィードバックパラメータにおける減少に関係する微分確率値を判断する手段とを含み、確率値割当ての調整が、微分確率値の関数である請求項５３記載の装置。
【請求項５５】
確率値割当てを調整する手段が、確率値割当てを微分確率値で畳込む手段を含む請求項５４記載の装置。
【請求項５６】
確率値割当ての信頼度の基準を計算する手段と、信頼度の基準の計算値の関数として、フィードバックパラメータの利得を制御する手段とをさらに含む請求項４６記載の装置。
【請求項５７】
フィードバックパラメータが、パラメータ値の中の１つに等しい全値を含み、フィードバックパラメータが、１つ以上の連続のタイムスロットの各々において受信され、装置が、確率値割当ての信頼度の基準を計算する手段と、フィードバックパラメータが信頼度の基準の計算値の関数として受信される連続のタイムスロット数を制御する手段とをさらに含む請求項４６記載の装置。
【請求項５８】
フィードバックパラメータを受信する手段が、パラメータの中の１つに等しい全値を含む第２のフィードバックパラメータを、フィードバックパラメータよりも後の時間に受信するようにも構成されていて、装置が、新しい確率値割当てを含む確率ベクトルを生成する手段と、確率ベクトルの信頼度の基準を計算する手段と、確率ベクトルを使用して、パラメータ値の中の選択された１つを信頼度の基準の計算値の関数として選択するかどうかを判断する手段とをさらに含む請求項４６記載の装置。
【請求項５９】
第２のフィードバックパラメータとは無関係に調整される確率値割当てを含む第２の確率ベクトルを生成する手段と、第２の確率ベクトルの第２の信頼度の基準を計算する手段とをさらに含み、第２の信頼度の基準の計算値が、信頼度の基準の計算値を越えるとき、第２の確率ベクトルが、パラメータ値の中の選択された１つを選択するために使用される請求項５８記載の装置。
【請求項６０】
第２の確率ベクトルの確率値割当てが、フィードバックパラメータにおける増加または減少に関係する微分値の関数として調整される請求項５９記載の装置。
【請求項６１】
信号伝送に関係するフィードバックパラメータを受信することであって、フィードバックパラメータが、通信チャネル上での信号伝送の搬送波対干渉比に関係していることと、
複数のパラメータ値の１つ以上の推定値を符号語と相関させることによって、フィードバックパラメータの関数として、確率値を複数のパラメータ値の１つ以上に割当てることと、
フィードバックパラメータを復号することであって、復号するステップが、確率値割当ての関数としてパラメータ値の中の１つを選択することを含むことと、
パラメータ値の中の選択された１つの関数として、信号伝送を制御することとを含む通信方法。
【請求項６２】
フィードバックパラメータが、共通チャネル上で受信される請求項１記載の方法。